(57)【要約】      （修正有）【課題】ＦＡＸ送信前等においてユーザが所望する設定で原稿の画像データをプレビュー表示させることを可能とし、確認作業に要するユーザの作業負荷を軽減させる。【解決手段】ＰＣ１００は、原稿の識別情報に対応付けて原稿の画像データの表示処理に係る設定情報を設定する。また、ＰＣ１００は、原稿の画像データを入力し、画像データに含まれる識別情報を取得した後、識別情報に対応する設定情報を取得する。そして、ＰＣ１００は、取得した設定情報に基づいて、原稿の画像データの表示処理を制御する。【選択図】図１
2010056670.tif 000002
【特許請求の範囲】
【請求項１】
原稿の識別情報に対応付けて前記原稿の画像データの表示処理に係る設定情報を設定する設定手段と、
前記原稿の画像データを入力する入力手段と、
前記入力手段により入力される画像データに含まれる識別情報を取得する識別情報取得手段と、
前記識別情報取得手段により取得された識別情報に対応する設定情報を取得する設定情報取得手段と、
前記設定情報取得手段により取得された設定情報に基づいて、前記原稿の画像データの表示処理を制御する表示制御手段とを有することを特徴とする情報処理装置。
【請求項２】
前記設定手段により設定される設定情報は、前記原稿の画像データの表示位置、表示倍率及び表示内容の編集のうちの少なくとも何れか一つに係る設定情報であることを特徴とする請求項１に記載の情報処理装置。
【請求項３】
前記識別情報取得手段により識別情報が取得された後、当該識別情報をマスクする処理を、当該識別情報を含むページの画像データに対して実行するマスク処理手段を更に有することを特徴とする請求項１又は２に記載の情報処理装置。
【請求項４】
前記識別情報取得手段により取得された識別情報と、当該識別情報を含む画像データのページを示すページ情報とを対応付けて管理する管理手段を更に有し、
前記識別情報取得手段は、前記マスク処理手段により識別情報がマスク処理されたページの画像データを対象とした場合、当該ページに対応する識別情報を前記管理手段より取得し、前記設定情報取得手段は、前記管理手段より取得された識別情報に対応する設定情報を取得することを特徴とする請求項３に記載の情報処理装置。
【請求項５】
前記識別情報は、ＱＲコードであることを特徴とする請求項１乃至４の何れか１項に記載の情報処理装置。
【請求項６】
情報処理装置による情報処理方法であって、
原稿の識別情報に対応付けて前記原稿の画像データの表示処理に係る設定情報を設定する設定ステップと、
前記原稿の画像データを入力する入力ステップと、
前記入力ステップにより入力される画像データに含まれる識別情報を取得する識別情報取得ステップと、
前記識別情報取得ステップにより取得された識別情報に対応する設定情報を取得する設定情報取得ステップと、
前記設定情報取得ステップにより取得された設定情報に基づいて、前記原稿の画像データの表示処理を制御する表示制御ステップとを含むことを特徴とする情報処理方法。
【請求項７】
原稿の識別情報に対応付けて前記原稿の画像データの表示処理に係る設定情報を設定する設定ステップと、
前記原稿の画像データを入力する入力ステップと、
前記入力ステップにより入力される画像データに含まれる識別情報を取得する識別情報取得ステップと、
前記識別情報取得ステップにより取得された識別情報に対応する設定情報を取得する設定情報取得ステップと、
前記設定情報取得ステップにより取得された設定情報に基づいて、前記原稿の画像データの表示処理を制御する表示制御ステップとをコンピュータに実行させるためのプログラム。
【請求項８】
原稿の識別情報に対応付けて前記原稿の画像データの表示処理に係る設定情報を設定する設定ステップと、
前記原稿の画像データを入力する入力ステップと、
前記入力ステップにより入力される画像データに含まれる識別情報を取得する識別情報取得ステップと、
前記識別情報取得ステップにより取得された識別情報に対応する設定情報を取得する設定情報取得ステップと、
前記設定情報取得ステップにより取得された設定情報に基づいて、前記原稿の画像データの表示処理を制御する表示制御ステップとをコンピュータに実行させるためのプログラムを記録したコンピュータ読み取り可能な記録媒体。
【発明の詳細な説明】
【技術分野】
【０００１】
本発明は、例えば、ＦＡＸ送信前に、送信する原稿の画像データをプレビュー表示にて確認可能とする技術に関するものである。
【背景技術】
【０００２】
従来、ファクシミリ装置を用いてデータの送受信を行うことが広く行われている。例えば、ビジネス上、商品発注のために伝票等をファクシミリ装置を用いて商品提供元に送信することで発注処理が行われている。
【０００３】
このようなビジネスにおいて、時には個人情報や営業秘密等の外部への情報漏えいには細心の注意を払わなくてはならない情報に関するデータの送受信が行われることがある。
【０００４】
しかし、近年、ファクシミリ装置でデータを送信する際に相手先の番号を誤って指定して送信を行ってしまうことにより発生する誤送信、又は、意図しない原稿を誤って送信してしまうことにより発生する誤送信等の情報漏えいが問題視されている。
【０００５】
このような課題を解決するため、誤送信を抑止するシステムに係る発明が特許文献１に開示されている。即ち、スキャナから読み込んだ原稿を画像データとしてメモリに蓄積し、蓄積した画像データをユーザインタフェース上に表示して、「宛先の番号」、「宛先の名称」及び「送信する原稿イメージ画像」をファクシミリの操作者に確認を行わせるものが開示されている。
【０００６】
また、ユーザインタフェース上に表示された画像データに対する編集機能及び編集結果の確認表示機能を有するファクシミリ装置が開示されている（例えば、特許文献２参照）。
【０００７】
【特許文献１】特開昭６１−２５５１５２号公報
【特許文献２】特開平１１−１１２７８３号公報
【発明の開示】
【発明が解決しようとする課題】
【０００８】
ＦＡＸの誤送信を抑止するには上記従来技術は有効であるが、上記従来技術のファクシミリ装置においては、送信する画像データの表示、拡大、縮小、編集に対しての機能を提供するに留まる。そのため、当該画像データは利用者が判断してページ毎に表示の拡大、縮小、編集を行う必要があり手間が掛かる。
【０００９】
また、利用者の操作が増えるため、利用者へ負担が発生する。このように、当該画像データを表示するファクシミリ装置は当該画像データを表示しないファクシミリ装置よりもファクシミリ送信の操作に手間が掛かってしまう問題がある。
【００１０】
そこで、本発明の目的は、例えばＦＡＸ送信前等においてユーザが所望する設定で原稿の画像データをプレビュー表示させることを可能とし、確認作業に要するユーザの作業負荷を軽減させることにある。
【課題を解決するための手段】
【００１１】
本発明の情報処理装置は、原稿の識別情報に対応付けて前記原稿の画像データの表示処理に係る設定情報を設定する設定手段と、前記原稿の画像データを入力する入力手段と、前記入力手段により入力される画像データに含まれる識別情報を取得する識別情報取得手段と、前記識別情報取得手段により取得された識別情報に対応する設定情報を取得する設定情報取得手段と、前記設定情報取得手段により取得された設定情報に基づいて、前記原稿の画像データの表示処理を制御する表示制御手段とを有することを特徴とする。
本発明の情報処理方法は、情報処理装置による情報処理方法であって、原稿の識別情報に対応付けて前記原稿の画像データの表示処理に係る設定情報を設定する設定ステップと、前記原稿の画像データを入力する入力ステップと、前記入力ステップにより入力される画像データに含まれる識別情報を取得する識別情報取得ステップと、前記識別情報取得ステップにより取得された識別情報に対応する設定情報を取得する設定情報取得ステップと、前記設定情報取得ステップにより取得された設定情報に基づいて、前記原稿の画像データの表示処理を制御する表示制御ステップとを含むことを特徴とする。
本発明のプログラムは、原稿の識別情報に対応付けて前記原稿の画像データの表示処理に係る設定情報を設定する設定ステップと、前記原稿の画像データを入力する入力ステップと、前記入力ステップにより入力される画像データに含まれる識別情報を取得する識別情報取得ステップと、前記識別情報取得ステップにより取得された識別情報に対応する設定情報を取得する設定情報取得ステップと、前記設定情報取得ステップにより取得された設定情報に基づいて、前記原稿の画像データの表示処理を制御する表示制御ステップとをコンピュータに実行させることを特徴とする。
本発明のコンピュータ読み取り可能な記録媒体は、原稿の識別情報に対応付けて前記原稿の画像データの表示処理に係る設定情報を設定する設定ステップと、前記原稿の画像データを入力する入力ステップと、前記入力ステップにより入力される画像データに含まれる識別情報を取得する識別情報取得ステップと、前記識別情報取得ステップにより取得された識別情報に対応する設定情報を取得する設定情報取得ステップと、前記設定情報取得ステップにより取得された設定情報に基づいて、前記原稿の画像データの表示処理を制御する表示制御ステップとをコンピュータに実行させるためのプログラムを記録したことを特徴とする。
【発明の効果】
【００１２】
本発明においては、原稿の画像データに含まれる識別情報を取得し、当該識別情報に対応する当該原稿の画像データの表示処理に係る設定情報に基づいて、当該原稿の画像データの表示処理を制御するように構成している。従って、例えばＦＡＸ送信前等においてユーザが所望する設定で原稿の画像データをプレビュー表示させることが可能となり、確認作業に要するユーザの作業負荷を軽減することができる。
【発明を実施するための最良の形態】
【００１３】
以下、本発明を適用した好適な実施形態を、添付図面を参照しながら詳細に説明する。
【００１４】
＜第１の実施形態＞
先ず、本発明の第１の実施形態について説明する。図１は、本発明の第１の実施形態に係るファクシミリシステムの構成を示す図である。なお、図１のＬＡＮ上に接続される各種端末の構成は一例であり、用途や目的に応じて様々な構成例がある。
【００１５】
複合機２００とパーソナルコンピュータであるＰＣ１００とはＬＡＮ（Local Area Network）で接続され、複合機２００でスキャンされた画像データをＰＣ１００のタッチパネル１０９（詳細後述）に表示する。なお、ＰＣ１００は、本発明の情報処理装置の適用例となる構成である。
【００１６】
ＰＣ１００は、複合機２００でスキャンされた画像データを受信し、ファクシミリ（以下、ＦＡＸと称す）送信可能なデータに変換した後、複合機２００に送信する。
【００１７】
図２は、複合機２００のハードウェア構成を示す図である。図２において、ＣＰＵ２０１は、システムバス２１６、２１７に接続される各デバイスやコントローラを統括的に制御する。また、ＲＯＭ２０３には、ＣＰＵ２０１の制御プログラムであるＢＩＯＳ(Basic Input / Output System)やオペレーティングシステムプログラム（以下、ＯＳ）や、複合機２００において実行する機能を実現するために必要な後述する各種プログラム等が記憶されている。
【００１８】
ＲＡＭ２０７は、ＣＰＵ２０１の主メモリ、ワークエリア等として機能する。ＣＰＵ２０１は、処理の実行に際して必要なプログラム等をＲＡＭ２０７にロードして、プログラムを実行することで各種動作を実現するものである。
【００１９】
ＨＤＤ２０８では、後述する画像処理部２１３で作成された画像データを記憶する。操作部Ｉ／Ｆ２０５は操作部２０６との接続を行う。
【００２０】
また、操作部２０６は、不図示のキーボード入力を制御する。操作部Ｉ／Ｆ２０５は、操作部２０６への表示を制御する。操作部２０６は例えばＣＲＴや液晶ディスプレイ等で構成される。
【００２１】
Ｎｅｔｗｏｒｋ Ｉ／Ｆコントローラ２０２は、ネットワークを介して、外部機器と接続・通信するものであり、ネットワークでの通信制御処理を実行する。例えば、ＴＣＰ／ＩＰを用いたインターネット通信等が可能である。Ｍｏｄｅｍ２０４は公衆回線網との接続・通信をするものであり、ＦＡＸの送受信の通信を行うことが可能である。
【００２２】
ＩｍａｇｅＢＵＳ Ｉ／Ｆ２０９はシステムバス２１６及びシステムバス２１７を接続するものであり、ＲＩＰ２１０はＰＤＬコードをビットマップイメージに展開する。
【００２３】
プリンタＩ／Ｆ２１１はプリンタ２１４と接続し、スキャナＩ／Ｆ２１２はスキャナ２１５と接続する。画像処理部２１３は入力画像データに対し補正、加工、編集を行う。
【００２４】
図３は、ＰＣ１００のハードウェア構成を示す図である。ＣＰＵ１０１は、システムバス１０４に接続される各デバイスやコントローラを統括的に制御する。また、ＲＯＭ１０３には、ＣＰＵ１０１の制御プログラムであるＢＩＯＳ(Basic Input / Output System)やオペレーティングシステムプログラム（以下、ＯＳ）や、ＰＣ１００で実行する機能を実現するために必要な後述する各種プログラム等が記憶されている。
【００２５】
ＲＡＭ１０２は、ＣＰＵ１０１の主メモリ、ワークエリア等として機能する。ＣＰＵ１０１は、処理の実行に際して必要なプログラム等をＲＡＭ１０２にロードして、プログラムを実行することで各種動作を実現するものである。
【００２６】
また、入力コントローラ１０５は、タッチパネル１０９を制御する。ビデオコントローラ１０６は、タッチパネル１０９への表示を制御する。
【００２７】
通信Ｉ／Ｆコントローラ１０８は、ネットワークを介して、外部機器と接続・通信するものであり、ネットワークでの通信制御処理を実行する。例えば、ＴＣＰ／ＩＰを用いたＬＡＮ通信等が可能である。また、メモリコントローラ１０７は外部メモリ１１０との通信を制御する。
【００２８】
本発明を実現するためのプログラムは外部メモリ１１０に記録されており、必要に応じてＲＡＭ１０２にロードされることによりＣＰＵ１０１によって実行されるものである。さらに、本発明に係わるプログラムが用いる定義ファイルは外部メモリ１１０に格納されている。
【００２９】
図４は、本実施形態に係るファクシミリシステムの機能的な構成を示す図である。スキャン部４０１は、複合機２００のスキャナＩ／Ｆ２１２、画像処理部２１３等により構成される。スキャン部４０１によりスキャンされた画像データはイメージ送信部４０２に渡される。イメージ送信部４０２はＮｅｔｗｏｒｌ Ｉ／Ｆ２０２等により構成される。
【００３０】
イメージ送信部４０２より送信された画像データはＰＣ１００のイメージ受信部４１１に渡される。イメージ受信部４１１は、通信Ｉ／Ｆコントローラ１０８等により構成される。イメージ受信部４１１で受信した画像データは、イメージ判定部４１２に渡される。
【００３１】
イメージ判定部４１２は、イメージ受信部４１１で受信した画像データが複数ページである場合には１ページずつ画像データを分割した後に、１ページ毎に識別子コードの有無を判定する。そして、イメージ判定部４１２は、識別子コードが含まれるページであった場合にＯＣＲ処理を行い、識別子コードの内容を得る処理を行う。
【００３２】
イメージ判定部４１２で判定された画像データは表示設定記憶部４１３に渡される。表示設定記憶部４１３は外部メモリ１１０等により構成される。
【００３３】
画像データは表示設定記憶部４１３からイメージ表示部４１３に渡される。イメージ表示部４１４は、ビデオコントローラ１０７及びタッチパネル１０９等により構成される。
【００３４】
イメージ表示部４１４で画像データデータが表示された後、画像データはＦＡＸデータ作成部４１５に渡される。
【００３５】
ＦＡＸデータ作成部４１５でＦＡＸ送信用データに変換された画像データは、ＦＡＸデータ送信部４１６に渡される。ＦＡＸデータ送信部４１６は、通信Ｉ／Ｆコントローラ１０８等により構成される。
【００３６】
ＦＡＸデータ送信部４１６で送信されたＦＡＸ送信用データは、複合機２００のイメージ受信部４０３に渡される。イメージ受信部４０３は、Ｎｅｔｗｏｒｋ Ｉ／Ｆ２０２等により構成される。
【００３７】
ＦＡＸ受信部４０３で受信したＦＡＸ送信用データは、ＦＡＸ送信部４０４に渡される。ＦＡＸ送信部４０４は、Ｍｏｄｅｍ２０４等によって構成される。
【００３８】
図７は、ＰＣ１００のタッチパネル１０９に表示される画面構成の一例を示す図である。図７（Ａ）は、ＰＣ１００のタッチパネル１０９に表示される操作種別選択画面を示している。この画面はＰＣ１００の基本画面として設定されている。
【００３９】
図７（Ａ）に示す操作種別選択画面の各ボタンについて説明する。画面上部に表示されているのは、図８に示す情報テーブルに登録されているＦＡＸ番号と宛先名である。また、画面中央には読み込んでいる画像データを１ページ毎に表示している。この画像データはタッチパネルのドラッグ操作（画面をこするように指を動かす操作）で表示位置を移動する。また、画面下部の「←」ボタンで前ページにページ遷移し、「→」ボタンで次ページに遷移する。間の「１／５」は、ページ数と現在のページ番号を意味する。ここでは５ページ中の１ページ目を表示していることを表している。画面下部の右下のボタン（拡大ボタン、縮小ボタン）は表示している画像表示サイズを１／４倍、１／２倍、２倍、４倍・・等で縮小／拡大することができる。
【００４０】
図７（Ｂ）は、表示する画像データを１ページ遷移し、表示している画像データの位置を移動し、画像表示サイズを拡大した場合の画面の一例を示している。なお、図７（Ａ）及び図７（Ｂ）に示す画面は、図４に示すイメージ表示部４１４に表示される。
【００４１】
図５は、本実施形態におけるファクシミリシステムの基本的な処理の流れを示すフローチャートである。
【００４２】
上述したように、複合機２００とＰＣ１００とは、ＬＡＮを介して相互に接続されている。先ず、ＰＣ１００はユーザによるタッチパネル１０９からの入力指示に基づいてＦＡＸ送信があったかどうかを判断する。
【００４３】
ユーザによるタッチパネル１０９からの入力指示により複合機２００の原稿台で原稿を読み取る処理（ステップＳ５０１）が複合機２００で行われる。図４に示すスキャン部４０１で本処理は行われる。なお、ステップＳ５０１において原稿が読み取られ、原稿の画像データを入力する処理は、本発明の入力手段の一処理例である。
【００４４】
ここで、読み取る原稿について説明する。原稿は宛先１つに対して図１０に示す識別子コード１００１が紙面に含まれるＦＡＸ送信票を１枚目にして、２枚目以降に(ＦＡＸ送信票の後に)送付したい図１１に示す原稿を続けて用意し、図１２に示すように続けた原稿を１束として読み取る。ＦＡＸ送信票は一つの宛先に対して１枚用意し、原稿は一度に複数枚の原稿を続けて読み取ることができる。また、読み取る原稿の途中にＦＡＸ送信票が含まれていた場合にはそのＦＡＸ送信票以降は別の宛先として認識がされることとなる。
【００４５】
次にＦＡＸ送信票と情報テーブルとについて説明する。図１０に示すＦＡＸ送信票は、予め図８に示す情報テーブルに登録する際に準備することができる。
【００４６】
この情報テーブルとは１宛先毎に識別子コードが１コード割り振られ、その宛先に対してＦＡＸ送信を行うときにタッチパネル画面（図７（Ａ））上部にＦＡＸ番号及び宛先名を表示する際に必要とされる表示設定が登録されているテーブルである。図８では、識別子コードにＦＡＸ番号が使用されているため情報テーブルにはＦＡＸ番号は含まれていないが、識別子コードがＦＡＸ番号ではない場合には情報テーブルにＦＡＸ番号を含ませることができる。
【００４７】
ＦＡＸ送信票は、情報テーブルに登録されているレコード１件ずつに対して最低１枚ずつ用意するため、ＦＡＸ送信票は情報テーブル登録時に印刷する。
【００４８】
このようにＦＡＸ送信票を情報テーブル登録時に作成しておくことで、ＦＡＸ送信を行う際に送信先のＦＡＸ送信票を用意することができる。
【００４９】
また、逆に識別子コードを読み取るＰＣ１００にこの情報テーブルを保持させておくことで、情報テーブルに登録されているレコードを検索することもできる。なお、情報テーブルにレコードを登録する処理は、本発明の設定手段の一処理例である。
【００５０】
図５の説明に戻る。読み取った画像データは図４に示すイメージ送信部４０２によりＰＣ１００に送信される（ステップＳ５０２）。
【００５１】
ＰＣ１００側では、図４に示すイメージ受信部４１１によりステップＳ５０２で送信された画像データを受信する（ステップＳ５０３）。続いて、イメージ受信部４１１は、全ての画像データを受信したか否かを判定する（ステップＳ５０４）。未だ受信していない画像データが存在する場合にはステップＳ５０３に戻り、受信処理を続ける。
【００５２】
ＰＣ１００は、前回処理時に登録されたマスクページ情報テーブル（図９参照）に情報が登録されている場合には情報をクリアする（ステップＳ５０５）。
【００５３】
イメージ受信部４１１で受信した画像データは、図４に示すイメージ判定部４１２に渡される（ステップＳ５０６）。ここで、ステップＳ５０３で受信した画像データは、ページ毎に区切り情報として認識可能なデータであるため、ページ毎の単位で保持される。
【００５４】
イメージ表示部４１４は、指定された箇所の画像データの表示処理を行う（ステップＳ５０７）。最初は１ページ目の原稿の画像データが表示される。
【００５５】
このようにＦＡＸを送信する際に送信する画像データを目視で確認することにより、誤送信の発生を抑止することができる。また、複数枚の原稿を読み取っている場合には、誤って原稿束に意図しない原稿が含まれてしまっていた場合にも誤送信となってしまうが、一枚ずつ原稿を画面上で確認することにより、意図しない混載原稿による誤送信も抑止することができるようになる。
【００５６】
図６は、図５のステップＳ５０７の詳細を示すフローチャートである。先ず、イメージ判定部４１２は、読み取ったページがマスク済みのページとしてマスクページ情報テーブル（図９参照）に保存されているか否かを判定する（ステップＳ６０１）。
【００５７】
読み取ったページがマスク済みのページである場合には、イメージ判定部４１２は、図９に示すマスクページ情報テーブルを使用して該当するページの識別子コードを取得する。マスクページ情報テーブルでは、一度読み込んだＦＡＸ送信票の画像データか、原稿の画像データかの判別を行うための情報が保存されている。なお、図９では、「マスク」されたページ番号とその識別子コードのＯＣＲ処理結果の内容が登録されていることを示している。
【００５８】
本システムでは一度、ＦＡＸ送信票の画像データをイメージ表示部４１４にてイメージを表示すると、読み込まれた画像データ上に識別子コードをマスクして表示しないようにすることが可能となっている。そのため、一度、識別子コードをマスクしたＦＡＸ送信票を再表示する際には識別子コードが画像データに対するＯＣＲ処理を行っても読み取れなくなってしまう。従って、一度識別子コードのマスク処理を行った場合には、該当する画像データがＦＡＸ送信されるまで（又はキャンセル処理されるまで）はマスクされた情報を保持しておく必要がある。本システムでは、このマスクページ情報テーブルにマスク処理を行った画像データのページ情報とＯＣＲ処理結果（識別子コード）の情報とを保持している。
【００５９】
ステップＳ６０１にて、該当するページがマスク済みのページとしてマスクページ情報テーブルに保存されていない場合、イメージ判定部４１２は、該当するページの画像データの原稿種類判別の処理を行う（ステップＳ６０２）。即ち、イメージ判定部４１２は、該当するページの画像データに識別子コードが含まれているか否かの判定、及び、識別子コードが含まれている場合には画像データに対してＯＣＲ処理を行って識別子コードを得る。なお、上述したように、識別子コードは宛先のＦＡＸ番号を使用することが可能である。なお、ＯＣＲ処理によって識別子コードを得る処理は、本発明の識別情報取得手段の一処理例である。
【００６０】
この際に、原稿種類判別の際には、識別子コードには限らず、数字情報、紙の色、サイズ等の判別を行ってもよい。イメージ判定部４１２は、ページ毎にこの処理を行い、対象のページがマスキングを必要とするページであるか、マスキングを必要としないページかを判断している。マスキングが要・不要である判断は、識別子コードが読み取られたページであるか否かで判断する。
【００６１】
また、紙の色等でＦＡＸ送信票を分けている場合（識別子コードがＦＡＸ送信票から取得できない場合）には画像データの判別を行った後も、マスキングは行わないこともある。また、識別子コードが含まれていない場合には、ＦＡＸ番号を送信する宛先毎に別途入力してから情報テーブルによるＦＡＸ番号の取得や表示位置等を取得する。
【００６２】
識別子コードが含まれていないページ（マスキングが不要なページ）であった場合には、表示設定記憶部４１３は、対象ページの表示設定に関する設定情報をＰＣ１００から取得する（ステップＳ６０３）。取得する設定情報は、予めＰＣ１００に設定されているものであり、その設定情報の一例が図８に示す情報テーブルとなる。なお、ステップＳ６０３において設定情報を取得する処理は、本発明の設定情報取得手段の一処理例である。
【００６３】
これは、宛先毎に設定される情報として持ち、画像データの表示位置を変えたい場合には表示位置を設定し、表示倍率、宛先の名前、発信元の情報を１レコードとして紐付けた情報として持っている。情報テーブルに登録されていない識別子コードの宛先に送る場合には、デフォルト設定（例えば、表示倍率を１倍として左上隅を画面の左上隅に揃えて表示）とする。
【００６４】
イメージ表示部４１４は、表示設定記憶部４１３で記憶された情報テーブルから表示倍率を取得し、対象原稿の画像データの表示倍率を変更する（ステップＳ６０４）。
【００６５】
次に、イメージ表示部４１４は、同様に情報テーブルから表示位置情報を取得し、対象原稿の画像データの表示位置を移動する（ステップＳ６０５）。これは例えば左端の位置をＸ，Ｙ座標としてPixel単位で設定を行う。
【００６６】
次に、イメージ表示部４１４は、情報テーブルから表示内容の編集情報を取得し、その編集情報を元に対象原稿の画像データの編集処理を行う（ステップＳ６０６）。例えば、定型の画像データを貼り付けること等が可能である。
【００６７】
イメージ表示部４１４は、ステップＳ６０４〜Ｓ６０６の処理結果を基に画像データを表示する（ステップＳ６０７）。なお、ステップＳ６０７における画像データの表示を制御する処理は、本発明の表示制御手段の一処理例である。
【００６８】
このように読み取った原稿の編集情報を基に表示方法を切り替えることができるので、都度表示するサイズや位置を利用者が変更する必要がなく、ＦＡＸ送信画像の確認に手間が掛からずに行うことができるようになる。
【００６９】
ステップＳ６０１にて、該当するページがマスク済みのページとしてマスクページ情報テーブルに保存されていると判定された場合、処理はステップＳ６０９に進む。
【００７０】
イメージ判定部４１２は、該当するページの画像データから識別子コードを取り出し（ステップＳ６０９）、処理はステップＳ６１０に進む。また、Ｓ６１５でＦＡＸ番号を入力していた場合、Ｓ６１４にてマスクページ情報テーブルにＦＡＸ番号が含まれている。マスクページ情報テーブルにＦＡＸ番号が場合には、マスクページ情報テーブルからＦＡＸ番号を取得する。なお、ステップＳ６０９において識別子コードを取得する処理は、本発明の識別情報取得手段の一処理例である。
【００７１】
また、ステップＳ６０２における原稿種類判別を行った際、該当するページの画像データに識別子コードが含まれていると判定された場合、処理はステップＳ６１０に進む。
【００７２】
ステップＳ６１０では、イメージ判定部４１２は、ステップＳ６０２にてＯＣＲ処理により得られた識別子コードが情報テーブルに含まれているか否かを判定する（ステップＳ６１０）。識別子コードが情報テーブルに含まれている場合、処理はステップＳ６１１に進む。一方、識別子コードが情報テーブルに含まれていない場合、処理はステップＳ６１５に進む。
【００７３】
ステップＳ６１１では、イメージ判定部４１２は、識別子コードをＦＡＸ番号とすることが設定されているか否かを判定する。この設定は、情報テーブルを作成し、設定しておく際に本システムに対して行われている設定である。
【００７４】
識別子コードをＦＡＸ番号とすることが設定されていない場合、処理はステップＳ６１５に進む。一方、識別子コードをＦＡＸ番号とすることが設定されている場合、処理はステップＳ６１２に進む。
【００７５】
ステップＳ６１５では、イメージ表示部４１４は、ＦＡＸ番号を入力する入力画面（不図示）を表示する。ＦＡＸ番号入力画面上では、ユーザの操作によりＦＡＸを送信するために必要な送信先の番号を入力することが可能である。この画面上では、ＦＡＸ番号のほか、短縮番号（ＰＣ１００に予め登録されているＦＡＸ番号と紐付く宛先を表す固有の番号）等を入力することができる。ＦＡＸ番号等の入力が終わると、処理はステップＳ６１２に進む。
【００７６】
識別子コードのサイズ及び位置は識別子コードを読み取る際に認識できるので、イメージ判定部４１２は、この識別子コードのサイズから同サイズの短形白地の画像データを作成する（ステップＳ６１２）。
【００７７】
続いて、イメージ判定部４１２は、ステップＳ６１２で作成した短形白地の画像データを、ステップＳ６１２で取得できた識別子コードの位置に重ね合わせる（ステップＳ６１３）。なお、ステップＳ６１３は、本発明のマスク処理手段の一処理例である。
【００７８】
ステップＳ６１３の処理には以下のようなメリットがある。例えば、識別子コードは一般的な規格であるバーコードやＱＲコードを利用することが可能である。これらの識別子コードの規格は統一されており、専門的な機材を必要とせず容易に読み取ることができる。しかし、その反面、従来のＦＡＸ送信方法では万一、この識別子コードに外部に漏洩したくない情報が含まれている場合には、利用者が原稿の目視確認を行い識別子コードが含まれていないことを確認してから原稿を送る必要がある、という課題が残っていた。ただし、目視確認では、利用者の思い込みや確認ミス等により、誤って識別子コードを含んだまま見落として送信してしまうこともあった。
【００７９】
これに対し、本実施形態では、識別子コードのマスク処理を行うことにより、万一誤送信が発生した場合でも識別子コードは送信先には届かず、識別子コードからの情報漏えいを防止することができる。
【００８０】
また、識別子コードの有無を判別してから消去処理を行うため、識別子コードが含まれない原稿ページである場合にはこの消去処理は行われず、ＦＡＸ送信票のページでのみ判別して行われる。
【００８１】
なお、この識別子コードの消去処理は、ＦＡＸ送信票又は原稿に定型画像を貼り付ける処理を行っているため、ＦＡＸ送信票や原稿を判別して固定位置に固定の画像を重ね合わせる等の処理を行うことも可能である。
【００８２】
ステップＳ６１３で一度処理を行ったページは識別子コードの有無によるページ種類の判定が行えなくなる。従って、一度ステップＳ６１３の処理を行ったページについては、ページ番号を取得して図９に示すマスクページ情報テーブルにページ番号を記録する（ステップＳ６１４）。なお、ステップＳ６１４においてマスクページ情報テーブルにページ番号（ページ情報）と識別子コードとを対応付けて登録する処理は、本発明の管理手段の一処理例である。
【００８３】
ステップＳ６０７では、イメージ表示部４１４は、対象のページの画像データをタッチパネル１０９に表示する。
【００８４】
ＦＡＸの誤送信抑止には、送信前に画像データを目視で確認することは大変有用である。例えば、誤送信を防ぐために行われるＦＡＸ送信者とは別の第三者の立会いによるＦＡＸ送信等にも画面による目視により、正確な確認が行えるからである。
【００８５】
しかし、レイアウト等の類似した原稿を送信する場合には、複合機２００や情報端末、ＦＡＸ送信機に付随している表示装置では画面サイズが小さいことがあり、宛先毎に確認すべき位置に移動し、画像表示を拡大する等の操作が必要になることがあった。このような処理は、時に利用者の操作が煩わしくなり、表示装置による画面の目視に時間が掛かってしまうことがあった。
【００８６】
本システムを利用することにより、表示する原稿のページ位置がＦＡＸ送信票のページであった場合には、図７（Ａ）に示すように、設定されている表示内容で原稿を表示する。また、原稿のページ位置が原稿のページであった場合には、図７（Ｂ）に示すように、ＦＡＸ送信票のページとは異なる表示位置、縮尺、で原稿を表示する。
【００８７】
このように、表示する原稿の内容をページ毎に判別することにより、ＦＡＸ送信に必要な確認箇所を拡大、位置移動等をユーザの操作なしに行うことができる。
【００８８】
図５に示すフローチャートにおけるステップＳ５０８の説明に戻す。イメージ表示部４１４は、次ページへの遷移が指定されたか否かを判定する（ステップＳ５０８）。次ページへの遷移が指定された場合には、イメージ表示部４１４は次ページを表示し、処理はステップＳ５０６に戻る。一方、次ページへの遷移が指定されていない場合には、イメージ表示部４１４は、前ページへの遷移が指定されたか否かを判定する（ステップＳ５０９）。前ページへの遷移が指定された場合には、イメージ表示部４１４は前ページを表示し、処理はステップＳ５０６に戻る。一方、前ページへの遷移が指定されていない場合には、処理はステップＳ５１０に進む。
【００８９】
ステップＳ５１０では、ＦＡＸデータ作成部４１５は、原稿の画像データからＦＡＸデータを作成する処理を行う。
【００９０】
続いて、ＦＡＸデータ送信部４１６は、ＦＡＸデータ作成部４１５により作成されたＦＡＸデータを複合機２００に送信する（ステップＳ５１１）。
【００９１】
複合機２００のイメージ受信部４０３は、ＰＣ１００のＦＡＸデータ送信部４１６より送信されたＦＡＸデータを受信する（ステップＳ５１２）。
【００９２】
続いて、イメージデータ送信部４０４は、イメージ受信部４０３により受信したＦＡＸデータをＦＡＸ回線網に送信する（ステップＳ５１３）。
【００９３】
なお、図８に示すように、情報テーブルには、各ＦＡＸ番号に対応付けて表示位置、表示倍率、宛先名、発信元を登録することが可能である。これによって、宛先に応じてユーザが予め所望していた画像データをプレビュー表示することができる。
【００９４】
＜第２の実施形態＞
次に、本発明の第２の実施形態について説明する。第１の実施形態では、複合機２００とＰＣ１００とで機能を分割した場合について説明しているが、本実施形態では、複合機に第１の実施形態におけるＰＣ１００の機能を複合機に持たせた場合について説明する。
【００９５】
図１３は、本発明の第２の実施形態に係るファクシミリシステムの構成を示す図である。複合機１０００は、スキャンされた画像データをタッチパネル１１１８に表示する。複合機１０００はファクシミリ送信用のデータに変換の後、ＦＡＸ回線網を通じて宛先にＦＡＸデータを送信する。なお、複合機１０００は、本発明の情報処理装置の適用例となる構成である。
【００９６】
図１４は、複合機１０００のハードウェア構成を示す図である。図１４において、ＣＰＵ１１０１は、システムバス１１１４、１１１５に接続される各デバイスやコントローラを統括的に制御する。また、ＲＯＭ１１０３には、ＣＰＵ１１０１の制御プログラムであるＢＩＯＳやオペレーティングシステムプログラムや、複合機１０００において実行する機能を実現するために必要な後述する各種プログラム等が記憶されている。
【００９７】
ＲＡＭ１１０７は、ＣＰＵ１１０１の主メモリ、ワークエリア等として機能する。ＣＰＵ１１０１は、処理の実行に際して必要なプログラム等をＲＡＭ１１０７にロードして、プログラムを実行することで各種動作を実現するものである。
【００９８】
ＨＤＤ１１０８では、画像処理部１１１３で作成された画像データを記憶する。
【００９９】
操作部Ｉ／Ｆ１１０６は、タッチパネル１１１８との接続を行い、タッチパネル１１１８からの入力を制御する。操作部Ｉ／Ｆ１１０６は、操作部１１１９との接続を行い、操作部１１１９を制御する。
【０１００】
操作部１１１９は、キーボードやマウス等のユーザ指示を入力する機器である。ビデオコントローラ１１０５は、タッチパネル１１１８への表示を制御する。
【０１０１】
ＮｅｔｗｏｒｋＩ／Ｆコントローラ１１０２は、ネットワークを介して、外部機器と接続・通信するものであり、ネットワークでの通信制御処理を実行する。例えば、ＴＣＰ／ＩＰを用いたインターネット通信等が可能である。Ｍｏｄｅｍ１１０４は、公衆回線網との接続・通信をするものであり、ＦＡＸの送受信の通信を行うことが可能である。
【０１０２】
ＩｍａｇｅＢＵＳ Ｉ／Ｆ１１０９は、システムバス１１１４及びシステムバス１１１５を接続するものであり、ＲＩＰ１１１０はＰＤＬコードをビットマップイメージに展開する
【０１０３】
プリンタＩ／Ｆ１１１１は、プリンタ１１１６と接続する。スキャナＩ／Ｆ１１１７はスキャナ１１１７と接続する。画像処理部１１１３は入力画像データに対し補正、加工、編集を行う。
【０１０４】
本発明を実現するためのプログラムはＨＤＤ１１０８に記録されており、必要に応じてＲＡＭ１１０７にロードされることによりＣＰＵ１１０１によって実行されるものである。さらに、本発明に係わるプログラムが用いる定義ファイルはＨＤＤ１１０８に格納されている。
【０１０５】
図１５は、本実施形態における複合機１０００の機能的な構成を示す図である。図１５において、スキャン部１２０１は、複合機１０００のスキャナＩ／Ｆ１１１２、画像処理部１１１３等により構成される。スキャン部１２０１によりスキャンされた画像データはイメージ判定部１２０２に渡される。イメージ判定部１２０２はＣＰＵ１１０１等により構成される。
【０１０６】
イメージ判定部１２０２で判定された画像データは表示設定記憶部１２０３に渡される。表示設定記憶部１２０３はＨＤＤ１１０８等により構成される。イメージ判定部１２０２では、スキャン部１２０１でスキャンした画像データが複数ページである場合には１ページずつ画像データを分割した後に、１ページ毎のデータにＯＣＲ処理を行って識別子コードのコード内容を判定する処理が行われる。
【０１０７】
画像データは表示設定記憶部１２０３からイメージ表示部１２０４に渡される。イメージ表示部１２０４は、ビデオコントローラ１１０５及びタッチパネル１１１８等により構成される。
【０１０８】
イメージ表示部１２０４で画像データを表示した後に画像データはＦＡＸデータ作成部１２０５に渡される。
【０１０９】
ＦＡＸデータ作成部１２０５でＦＡＸ送信用データに変換された画像データはＦＡＸ送信部１２０６に渡される。ＦＡＸ送信部１２０６は、Ｍｏｄｅｍ１１０４等によって構成される。
【０１１０】
図１６は、本発明の第２の実施形態に係るファクシミリシステムの基本的な処理の流れを示すフローチャートである。
【０１１１】
まず、複合機１０００は、ユーザによるタッチパネル１１１８からの入力指示に基づいてＦＡＸ送信指示があったかどうかを判断する。
【０１１２】
ユーザによるタッチパネル１１１８又は操作部１１１９からの入力指示により複合機１０００の原稿台で原稿を読み取る処理が複合機１０００で行われる（ステップＳ１３０１）。本処理は、スキャン部１２０１で行われる。
【０１１３】
続いて、複合機１０００は、前回処理時に登録されたマスクページ情報テーブル（図９参照）に情報がある場合にはここでマスクページ情報に登録された情報をクリアする（ステップＳ１３０２）。
【０１１４】
続いて、画像データはイメージ判定部１２０２に渡される。ステップＳ１３０１で取得された画像データはページ毎に区切り情報として認識可能なデータである。イメージ判定部１２０２は、ページ毎の単位で画像データを取得する（ステップＳ１３０３）。
【０１１５】
続いて、イメージ表示部１２０４は、指定された箇所の画像データの表示処理を行う（ステップＳ１３０４）。最初に表示する場合には原稿の１ページ目の画像データを表示する。
【０１１６】
このようにＦＡＸを送信する際に送信する画像データを目視で確認することにより、誤送信の発生を抑止することができる。また、複数枚の原稿を読み取っている場合には、誤って原稿束に意図しない原稿が含まれてしまっていた場合にも誤送信となってしまうが、一枚ずつ原稿を画面上で確認することにより、意図しない混載原稿による誤送信も抑止することができるようになる。
【０１１７】
なお、本実施形態におけるステップＳ１３０４の処理の詳細は、図６に示すフローチャートを用いて説明した内容と同様である。
【０１１８】
続いて、イメージ表示部４１４は、次ページへの遷移が指定されたか否かを判定する（ステップＳ１３０５）。次ページへの遷移が指定された場合には、イメージ表示部４１４は次ページを表示し、処理はステップＳ１３０３に戻る。一方、次ページへの遷移が指定されていない場合には、イメージ表示部４１４は、前ページへの遷移が指定されたか否かを判定する（ステップＳ１３０６）。前ページへの遷移が指定された場合には、イメージ表示部４１４は前ページを表示し、処理はステップＳ１３０３に戻る。一方、前ページへの遷移が指定されていない場合には、処理はステップＳ１３０７に進む。
【０１１９】
続いて、ＦＡＸデータ作成部１２０５は、原稿の画像データからＦＡＸデータを作成する処理を行う（ステップＳ１３０７）。
【０１２０】
続いて、ＦＡＸ送信部１２０６は、ＦＡＸデータ作成部１２０５により作成されたＦＡＸデータをＦＡＸ回線網に送信する（ステップＳ１３０８）。
【０１２１】
上述した実施形態においては、画像データを送信する前に、利用者が予め所望していた画像データを複合機１０００においてプレビュー表示するように構成している。従って、利用者の操作介入が少なく送信処理を行うことができるので、ユーザの作業負荷を軽減することが可能となる。
【０１２２】
上述した本発明の実施形態を構成する各手段及び各ステップは、コンピュータのＲＡＭやＲＯＭ等に記憶されたプログラムが動作することによって実現できる。このプログラム及び前記プログラムを記録したコンピュータ読み取り可能な記録媒体は本発明に含まれる。
【０１２３】
また、本発明は、例えば、システム、装置、方法、プログラムもしくは記録媒体等としての実施形態も可能であり、具体的には、一つの機器からなる装置に適用してもよい。
【０１２４】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【０１２５】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【０１２６】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【０１２７】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【図面の簡単な説明】
【０１２８】
【図１】本発明の第１の実施形態に係るファクシミリシステムの構成を示す図である。
【図２】本発明の第１の実施形態における複合機のハードウェア構成を示す図である。
【図３】本発明の第１の実施形態におけるＰＣのハードウェア構成を示す図である。
【図４】本発明の第１の実施形態に係るファクシミリシステムの機能的な構成を示す図である。
【図５】本発明の第１の実施形態に係るファクシミリシステムの基本的な処理の流れを示すフローチャートである。
【図６】図５のステップＳ５０７の詳細を示すフローチャートである。
【図７】ＰＣのタッチパネルに表示される画面構成の一例を示す図である。
【図８】情報テーブルの構成例を示す図である。
【図９】マスクページ情報テーブルの構成例を示す図である。
【図１０】ＦＡＸ送信票を示す図である。
【図１１】原稿を示す図である。
【図１２】ＦＡＸ送信票と原稿の送信態様を説明するための図である。
【図１３】本発明の第２の実施形態に係るファクシミリシステムの構成を示す図である。
【図１４】本発明の第２の実施形態における複合機のハードウェア構成を示す図である。
【図１５】本発明の第２の実施形態における複合機の機能的な構成を示す図である。
【図１６】本発明の第２の実施形態に係るファクシミリシステムの基本的な処理の流れを示すフローチャートである。
【符号の説明】
【０１２９】
１００：ＰＣ
２００、１０００：複合機
４０１、１２０１：スキャン部
４０２：イメージ送信部
４０３：イメージ受信部
４０４：ＦＡＸ送信部
４１１：イメージ受信部
４１２、１２０２：イメージ判定部
４１３、１２０３：表示設定記憶部
４１４：イメージ表示部
４１５、１２０５：ＦＡＸデータ作成部
４１６、１２０６：ＦＡＸデータ送信部
【図１】
2010056670.tif 000003
【図２】
2010056670.tif 000004
【図３】
2010056670.tif 000005
【図４】
2010056670.tif 000006
【図５】
2010056670.tif 000007
【図６】
2010056670.tif 000008
【図７】
2010056670.tif 000009
【図８】
2010056670.tif 000010
【図９】
2010056670.tif 000011
【図１０】
2010056670.tif 000012
【図１１】
2010056670.tif 000013
【図１２】
2010056670.tif 000014
【図１３】
2010056670.tif 000015
【図１４】
2010056670.tif 000016
【図１５】
2010056670.tif 000017
【図１６】
2010056670.tif 000018